(57)【要約】【課題】メニュー情報などを表示する表示装置に電力の供給源を設けないことで、表示装置の軽量化を図る。【解決手段】電子メニュー表示装置は、複数の表示体を備え、そのうちの１つの表示体は、リーダライタ装置から電力が供給され、その電力を用いて、各々の表示体に対応するページ単位に区分されたデータを、アンテナ部を用いてリーダライタ装置から取得する。複数の表示体の各々は、アンテナ部に供給された電力を用いて、取得されたデータのうち、自表示体に対応するページのデータを取得し、記憶性を有する表示手段に取得したデータに応じた画像を表示させる。【選択図】図１
2009192904.tif 000002
【特許請求の範囲】
【請求項１】
複数の表示体を備え、
前記複数の表示体のうち少なくとも１つの表示体は、
データ供給装置から電力が供給され、当該電力を用いて前記データ供給装置と通信を行う通信手段と、
各々の前記表示体に対応するページ単位に区分されたデータを、前記通信手段を用いて前記データ供給装置から取得するデータ取得手段とを備え、
前記複数の表示体の各々は、
前記通信手段に供給された電力を用いて、前記データ取得手段によって取得されたデータのうち、自表示体に対応するページのデータを取得するページ取得手段と、
複数の表示素子を有し、当該表示素子が駆動されて画像を表示するまでの期間においては電力が用いられ、当該画像が表示された後は、電力が用いられなくても当該画像を表示し続ける表示手段と、
前記通信手段に供給された電力を用いて前記表示手段の表示素子を駆動し、前記ページ取得手段によって取得されたデータに応じた画像を当該表示手段に表示させる制御手段とを備える
ことを特徴とする表示装置。
【請求項２】
各々の前記表示体は、可撓部材によって互いに隣り合うように連結されており、
前記表示体は、前記データ取得手段によって取得されたデータのうち、自表示体の前記ページ取得手段によって取得されるデータ以外のデータと、前記通信手段に供給された電力とを、前記可撓部材を介して、自表示体の隣にある表示体に供給する
ことを特徴とする請求項１記載の表示装置。
【請求項３】
データ供給装置と、複数の表示体を有する表示装置とを備え、
前記データ供給装置は、
各々の前記表示体に対応するページ単位に区分されたデータを記憶するデータ記憶手段と、
前記複数の表示体のうち少なくとも１つの表示体に電力を供給して当該表示体と通信を行う第１通信手段と、
前記第１通信手段を用いて、前記データ記憶手段に記憶されているデータを前記少なくとも１つの表示体に供給するデータ供給手段とを備え、
前記少なくとも１つの表示体は、
前記第１通信手段から電力が供給され、当該電力を用いて当該第１通信手段と通信を行う第２通信手段と、
前記データ供給手段によって供給されるデータを前記第２通信手段を用いて取得するデータ取得手段とを備え、
前記複数の表示体の各々は、
前記第２通信手段に供給された電力を用いて、前記データ取得手段によって取得されたデータのうち、自表示体に対応するページのデータを取得するページ取得手段と、
複数の表示素子を有し、当該表示素子が駆動されて画像を表示するまでの期間においては電力が用いられ、当該画像が表示された後は、電力が用いられなくても当該画像を表示し続ける表示手段と、
前記第２通信手段に供給された電力を用いて前記表示手段の表示素子を駆動し、前記ページ取得手段によって取得されたデータに応じた画像を当該表示手段に表示させる制御手段とを備える
ことを特徴とする表示システム。
【請求項４】
利用者によって把持され、自装置を特定する特定情報を記憶した入力装置を備え、
前記データ記憶手段に記憶されているデータには、各々の商品を識別する商品識別情報の画像を表すデータが含まれており、
前記表示装置は、前記表示体の所定の複数の位置にそれぞれ設けられ、当該位置を表す位置情報を記憶する複数の位置情報記憶手段を備え、
前記データ供給装置は、
複数の前記第１通信手段と、
前記複数の第１通信手段のうちのいずれかを用いて、前記入力装置に記憶されている前記特定情報を読み取る特定情報読取手段と、
前記複数の第１通信手段のうちのいずれかを用いて、前記位置情報記憶手段に記憶されている前記位置情報を読み取る位置情報読取手段と、
前記特定情報の読み取りに用いられた前記第１通信手段の位置と、前記位置情報読取手段によって読み取られた前記位置情報と、当該位置情報の読み取りに用いられた前記第１通信手段の位置と、前記データが表す画像における各々の前記商品識別情報の画像の位置とに基づいて、前記表示体に表示されている前記商品識別情報のうち、利用者により把持された前記入力装置によって指定された商品識別情報を特定する商品識別情報特定手段と、
前記商品識別情報特定手段によって特定された商品識別情報を記憶する商品識別情報記憶手段とを備える
ことを特徴とする請求項３記載の表示システム。
【請求項５】
商品に取り付けられ、当該商品を識別する商品識別情報を記憶する商品識別情報記憶装置を備え、
前記データ供給装置は、
前記第１通信手段を用いて、前記商品識別情報記憶手段に記憶されている商品識別情報を第１の商品識別情報として前記表示装置に供給する第１の商品識別情報供給手段と、
前記複数の第１通信手段のいずれかを用いて、前記商品識別情報記憶装置に記憶されている商品識別情報を読み取る商品識別情報読取手段と、
前記第１通信手段を用いて、前記商品識別情報読取手段によって読み取られた商品識別情報を第２の商品識別情報として前記表示装置に供給する第２の商品識別情報供給手段とを備え、
前記表示装置は、
前記第１の商品識別情報供給手段によって供給される第１の商品識別情報と、前記第２の商品識別情報供給手段によって供給される第２の商品識別情報とを、前記第２通信手段を用いて取得する商品識別情報取得手段と、
前記第２通信手段に供給された電力を用いて、前記商品識別情報取得手段によって取得された第１の商品識別情報と第２の商品識別情報のうち互いに一致するものを判別する判別手段とを備え、
前記表示装置の前記制御手段は、前記判別手段によって判別された商品識別情報の表す商品が提供されたことを表す画像を前記表示手段に表示させる
ことを特徴とする請求項４記載の表示システム。
【請求項６】
会計装置を備え、
前記データ供給装置のデータ記憶手段に記憶されているデータには、各々の商品を識別する商品識別情報と、当該商品の対価を表す対価情報とが対応付けられて含まれており、
前記データ供給装置は、
前記第１通信手段を用いて、前記商品識別情報記憶手段に記憶されている各々の商品識別情報に対応付けられた各対価情報を前記表示装置に供給する対価情報供給手段を備え、
前記表示装置は、
前記データ供給装置の前記対価情報供給手段によって供給される各々の対価情報を、前記第２通信手段を用いて取得する対価情報取得手段と、
前記第２通信手段に供給された電力を用いて、前記対価情報取得手段によって取得された各々の対価情報に基づいて、各対価情報が表す対価の合計を算出する算出手段と、
前記第２通信手段に供給された電力を用いて、前記算出手段によって算出された対価の合計を表す会計情報を記憶する会計情報記憶手段とを備え、
前記会計装置は、
前記表示装置に電力を供給し、当該表示装置と通信を行う第３通信手段と、
前記第３通信手段を用いて、前記表示装置の前記会計情報記憶手段に記憶されている会計情報を読み取る読取手段と、
前記読取手段によって読み取られた会計情報を表示する会計表示手段とを有する
ことを特徴とする請求項４又は５記載の表示システム。
【請求項７】
前記第１、第２及び第３通信手段は、電磁誘導による電力授受及び無線通信を行う
ことを特徴とする請求項３乃至６のいずれかに記載の表示システム。
【発明の詳細な説明】
【技術分野】
【０００１】
本発明は、情報を表示する技術に関する。
【背景技術】
【０００２】
レストランなどの飲食店においては、紙やプラスチックに印刷されたメニューが使用されているが、この場合、提供する料理が変わるたびに新たなメニューを作成しなければならない。そのため、近年では、メニューを電子化して液晶パネルなどに表示させる、いわゆる電子メニュー表示装置が提案されている（特許文献１及び２参照）。
【特許文献１】特開２００１−１７５９５４号公報
【特許文献２】特開２００４−１３３８７０号公報
【発明の開示】
【発明が解決しようとする課題】
【０００３】
ところで、上記特許文献１及び２に記載されているような電子メニュー表示装置には、メニュー情報の表示処理や料理の注文処理などを行う際に用いられる電力を供給するために、大容量のバッテリーや電池が搭載されている。そのため、電子メニュー表示装置が重たくなってしまい、利用客は、その重たい電子メニュー表示装置を持ちながら料理を選ばなければならない。また、電子メニュー表示装置が重たいと、例えば利用客が電子メニュー表示装置をテーブルから落としてしまった場合には、その自重で電子メニュー表示装置が破損したり、場合によっては、落下した電子メニュー表示装置が利用客に接触してけがをさせてしまう恐れもある。
【０００４】
本発明は、このような背景に鑑みてなされたものであり、情報を表示する表示装置の軽量化を図ることを目的とする。
【課題を解決するための手段】
【０００５】
本発明は、複数の表示体を備え、前記複数の表示体のうち少なくとも１つの表示体は、データ供給装置から電力が供給され、当該電力を用いて前記データ供給装置と通信を行う通信手段と、各々の前記表示体に対応するページ単位に区分されたデータを、前記通信手段を用いて前記データ供給装置から取得するデータ取得手段とを備え、前記複数の表示体の各々は、前記通信手段に供給された電力を用いて、前記データ取得手段によって取得されたデータのうち、自表示体に対応するページのデータを取得するページ取得手段と、複数の表示素子を有し、当該表示素子が駆動されて画像を表示するまでの期間においては電力が用いられ、当該画像が表示された後は、電力が用いられなくても当該画像を表示し続ける表示手段と、前記通信手段に供給された電力を用いて前記表示手段の表示素子を駆動し、前記ページ取得手段によって取得されたデータに応じた画像を当該表示手段に表示させる制御手段とを備えることを特徴とする表示装置を提供する。この構成によれば、情報を表示する表示装置の軽量化を図ることができる。
【０００６】
また、本発明は、データ供給装置と、複数の表示体を有する表示装置とを備え、前記データ供給装置は、各々の前記表示体に対応するページ単位に区分されたデータを記憶するデータ記憶手段と、前記複数の表示体のうち少なくとも１つの表示体に電力を供給して当該表示体と通信を行う第１通信手段と、前記第１通信手段を用いて、前記データ記憶手段に記憶されているデータを前記少なくとも１つの表示体に供給するデータ供給手段とを備え、前記少なくとも１つの表示体は、前記第１通信手段から電力が供給され、当該電力を用いて当該第１通信手段と通信を行う第２通信手段と、前記データ供給手段によって供給されるデータを前記第２通信手段を用いて取得するデータ取得手段とを備え、前記複数の表示体の各々は、前記第２通信手段に供給された電力を用いて、前記データ取得手段によって取得されたデータのうち、自表示体に対応するページのデータを取得するページ取得手段と、複数の表示素子を有し、当該表示素子が駆動されて画像を表示するまでの期間においては電力が用いられ、当該画像が表示された後は、電力が用いられなくても当該画像を表示し続ける表示手段と、前記第２通信手段に供給された電力を用いて前記表示手段の表示素子を駆動し、前記ページ取得手段によって取得されたデータに応じた画像を当該表示手段に表示させる制御手段とを備えることを特徴とする表示システムを提供する。この構成によれば、情報を表示する表示装置の軽量化を図ることができる。
【発明を実施するための最良の形態】
【０００７】
本発明の表示装置及び表示システムの実施形態である電子メニュー表示装置を用いた注文システムについて、図面を参照しながら説明する。
［構成］
（注文システムの構成）
図１は、本実施形態に係る注文システム１の全体構成を示す図である。この注文システム１は、例えばレストランなどの飲食店に設置されており、飲食店の料理のメニューを表示する表示システムとしての役割を担う。図に示すように、注文システム１は、管理装置１０と、電子メニュー表示装置２０と、選択ペン３０と、テーブル２の内部に設けられたリーダライタ装置４０と、会計装置５０とを備えている。管理装置１０、リーダライタ装置４０及び会計装置５０は、ＬＡＮ（Local Area Network）などのネットワークＮを介して接続されている。なお、図示は省略しているが、飲食店には図に示すようなテーブル２が複数あり、電子メニュー表示装置２０、選択ペン３０及びリーダライタ装置４０は、各々のテーブル２毎に設けられている。
【０００８】
（管理装置の構成）
図２は、図１に示した管理装置１０の構成を示す図である。この管理装置１０は、飲食店において調理が行われる厨房などに配置されている。図に示すように、管理装置１０は、ＣＰＵ（Central Processing Unit）１１と、メモリ１２と、記憶部１３と、通信部１４と、操作部１５と、表示部１６とを備えている。ＣＰＵ１１は、メモリ１２又は記憶部１３に記憶されているプログラムに従って各種の処理を実行する。メモリ１２は、ＲＯＭ（Read Only Memory）やＲＡＭ（Random Access Memory）などを備え、ＣＰＵ１１によって用いられるプログラム等を記憶している。
【０００９】
通信部１４は、ネットワークＮを介して会計装置５０やリーダライタ装置４０とデータ通信を行う。操作部１５は、キーボードとマウスなどの操作子を備え、操作者の操作に応じた信号をＣＰＵ１１に供給する。ＣＰＵ１１はこの操作に応じた処理を行う。表示部１６は、コレステリック液晶や電気泳動などを利用した記憶性表示パネルなどを備え、これらの表示素子がＣＰＵ１１によって供給されるデータに応じて駆動されることで、画像を表示する。この記憶性表示パネルにおいては、表示素子が駆動されて画像を表示するまでの駆動期間においては電力が必要であるが、その駆動期間が経過して画像が表示された後は、電力が用いられなくてもその画像を表示し続けることができる。これを表示の記憶性という。
【００１０】
記憶部１３は、ハードディスクなどを備え、ＣＰＵ１１によって用いられるプログラムを記憶している。また、この記憶部１３には、料理のメニューを表す複数のメニュー情報Ｄが記憶されている。例えば、ランチのメニューを表すメニュー情報Ｄ、ディナーのメニューを表すメニュー情報Ｄ、冬季限定のメニューを表すメニュー情報Ｄ、英語でメニューが表記されたメニュー情報Ｄなどが記憶部１３に記憶されている。各メニュー情報Ｄは、複数のページ単位に区分された構成になっている。ここでは、２種類のページがあり、１つが料理のメニューを表すメニューページであり、もう１つが注文を確認するための注文確認ページであるものとする。
【００１１】
このメニュー情報Ｄには、飲食店の利用客に提供される各々の料理の料理名と、その料理に割り当てられた識別番号である料理番号と、その料理の値段を表す値段情報とが含まれている。料理の料理名と識別番号の少なくともいずれか一方は、商品である各料理を識別する商品識別情報として利用される。また、値段情報は、商品である各料理の対価を表す対価情報として利用される。すなわち、メニュー情報Ｄには、各々の商品を識別する商品識別情報と、その商品の対価を表す対価情報とが対応付けられて含まれていることになる。さらに、メニュー情報Ｄに含まれる各料理名には、電子メニュー表示装置２０に表示されたときの電子メニュー表示装置２０上の２次元座標の座標値が対応付けられている。なお、ここでは、電子メニュー表示装置２０に表示されるときの各料理名の位置が予め決められているものとする。
【００１２】
（電子メニュー表示装置の構成）
図３は、図１に示した電子メニュー表示装置２０の構成を示す平面図である。電子メニュー表示装置２０は、複数の表示体２１を備えた表示装置である。図３では、電子メニュー表示装置２０が４つの表示体２１ａ〜２１ｄで構成されている例を示している。表示体２１ａと、表示体２１ｂ〜２１ｄとは構成が異なっているところがあるので、以下では、これら表示体２１ａ〜２１ｄの共通の構成をまず説明し、その後で、表示体２１ａの固有の構成について説明する。ただし、以下の説明において表示体２１ａ〜２１ｄを特に区別する必要がない場合には、これらを総称して「表示体２１」という。
【００１３】
表示体２１ａ〜２１ｄはそれぞれ、記憶性表示パネル２２ａ〜２２ｄと、回路基板２３ａ〜２３ｄとを備えている。以下の説明において、記憶性表示パネル２２ａ〜２２ｄを特に区別する必要がない場合には、これらを総称して「記憶性表示パネル２２」という。同様に、回路基板２３ａ〜２３ｄについても、「回路基板２３」という。記憶性表示パネル２２は、コレステリック液晶や電気泳動などの複数の表示素子を備えている。これらの表示素子が回路基板２３から供給されるデータに応じて駆動されることで、記憶性表示パネル２２に画像が表示される。この記憶性表示パネル２２は、表示の記憶性を有している。したがって、記憶性表示パネル２２においては、表示素子が駆動されて画像を表示するまでの駆動期間においては電力が必要であるが、その駆動期間が経過して画像が表示された後は、電力が用いられなくてもその画像を表示し続けることができる。
【００１４】
各々の表示体２１において、記憶性表示パネル２２と回路基板２３とは、複数の導線が束ねられたパネル接続部２４によって接続されている。これにより、回路基板２３から記憶性表示パネル２２へとデータ及び電力が供給されるようになっている。また、隣り合う回路基板２３の間はそれぞれ、複数の導線が束ねられた基板間接続部２５によって連結されている。この基板間接続部２５は、電流及びデータが伝送可能であり、例えばＦＰＣ（Flexible printed circuits）などのように容易に撓む可撓部材によって構成されている。つまり、各表示体２１は、電流及びデータが伝送される可撓部材によって互いに隣り合うように連結されている。
【００１５】
表示体２１ａ〜２１ｃはそれぞれ、自表示体の隣にある表示体に対し、基板間接続部２５を介してデータ及び電力を供給する。図に示した構成では、各基板間接続部２５を介して、表示体２１ａから表示体２１ｂ、表示体２１ｂから表示体２１ｃ、表示体２１ｃから表示体２１ｄへと順に、データ及び電力が供給されるようになっている。これにより、各表示体２１の間が自在に折り曲がるようになっているので、利用客は、料理のメニューを見たいときは、電子メニュー表示装置２０を開いて複数の表示体２１が横に並んだ状態とし、メニューを見ないときは、電子メニュー表示装置２０を閉じて複数の表示体２１が重なった状態にすることができる。
【００１６】
回路基板２３ａ〜２３ｄにはそれぞれ、表示体２１の各部を制御する制御回路２７ａ〜２７ｄが設けられている。この制御回路２７ａ〜２７ｄは、記憶性表示パネル２２の表示素子を駆動して画像を表示させる表示制御などを行う制御手段である。制御回路２７ａ〜２７ｄにはそれぞれ、自回路に接続された記憶性表示パネル２２の表示する画像のページ数を記憶するメモリ７１ａ〜７１ｄが設けられている。ここでは、制御回路２７ａのメモリ７１ａには、１ページ目を表す「１」というページ数が記憶されており、制御回路２７ｂのメモリ７１ｂには２ページ目を表す「２」というページ数が、制御回路２７ｃのメモリ７１ｃには３ページ目を表す「３」というページ数が、制御回路２７ｄのメモリ７１ｄには４ページ目を表す「４」というページ数が記憶されているものとする。なお、以下の説明において、制御回路２７ａ〜２７ｄやメモリ７１ａ〜７１ｄを特に区別する必要がない場合には、それぞれ「制御回路２７」、「メモリ７１」という。
【００１７】
また、表示体２１ａ〜２１ｄの端部などの所定の複数の位置には、位置検出用ＩＣタグ２９ａ〜２９ｈが設けられている。なお、以下の説明において、位置検出用ＩＣタグ２９ａ〜２９ｈを特に区別する必要がない場合には、これらを総称して「位置検出用ＩＣタグ２９」という。位置検出用ＩＣタグ２９は、制御部と、メモリと、アンテナ部とを備えており、これらが１チップ化されている。アンテナ部は、導線が巻き回されてなるループアンテナであり、電磁誘導作用を利用して電力の供給を受けるとともに、無線信号を用いて無線通信を行う。制御部は、アンテナ部に供給された電力を用いて、メモリからのデータ読み出しや、アンテナ部を用いたデータ送受信などを行う。メモリには、自身が配置されている位置を表す位置情報が記憶されている。例えば、位置検出ＩＣタグ２９ａのメモリには、電子メニュー表示装置２０の左上に配置されていることを表す「左上」という位置情報が記憶されており、位置検出用ＩＣタグ２９ｂのメモリには、電子メニュー表示装置２０の左下に配置されていることを表す「左下」という位置情報が記憶されているといった具合である。すなわち、位置検出ＩＣタグ２９は、表示体２１の所定の複数の位置にそれぞれ設けられ、その位置を表す位置情報を記憶する位置情報記憶手段である。
【００１８】
次に、表示体２１ａの固有の構成について説明する。
表示体２１ａの回路基板２３ａには、上述した制御回路２７ａのほか、メニュー情報用ＩＣタグ２６と、電源回路２８とが設けられている。メニュー情報用ＩＣタグ２６は、制御部６１と、データを記憶するメモリ６２と、アンテナ部６３とを備えており、これらが１チップ化されている。アンテナ部６３は、導線が巻き回されてなるループアンテナであり、電磁誘導による電力の供給を受け、その電力を用いて無線信号による無線通信を行う。制御部６１は、アンテナ部６３に供給された電力を用いて、メモリ６２からのデータ読み出しや、アンテナ部６３を用いたデータ送受信などを行う。電源回路２８は、メニュー情報用ＩＣタグ２６のアンテナ部６３に供給された電力の電圧を変圧して、制御回路２７ａ及び記憶性表示パネル２２ａに供給する。制御回路２７ａは、電源回路２８から供給された電力を、基板間接続部２５を介して、表示体２１ｂの制御回路２７ｂ及び記憶性表示パネル２２ｂに供給する。以降、表示体２１ｂから表示体２１ｃ、表示体２１ｃから表示体２１ｄへと順に電力が供給される。
【００１９】
（選択ペンの構成）
図４は、図１に示した選択ペン３０の構成を示す図である。この選択ペン３０は、利用客によって把持されて利用される入力装置である。利用客は、料理のメニューを注文するときにこの選択ペン３０を使用する。図に示すように、選択ペン３０の先端には、ペン用ＩＣタグ３１が設けられている。このペン用ＩＣタグ３１は、上述した電子メニュー表示装置２０のメニュー情報用ＩＣタグ２６と同様に、制御部、メモリ及びアンテナ部を備えている。メモリには、選択ペン３０に設けられたペン用ＩＣタグ３１であることを特定するためのペン特定情報である「ｐｅｎ」が記憶されている。
【００２０】
（リーダライタ装置の構成）
図５は、図１に示したリーダライタ装置４０の構成を示す平面図である。このリーダライタ装置４０は、電子メニュー表示装置２０のメニュー情報用ＩＣタグ２６に対してデータの書き込みを行うデータ供給装置である。図に示すように、リーダライタ装置４０は、電源部４１と、通信部４２と、ＣＰＵ４３と、メモリ４４と、アンテナ部４５とを備えている。電源部４１は、図示せぬ商用電源に接続されており、リーダライタ装置４０の各部に電力を供給する。通信部４２は、ネットワークＮを介して管理装置１０や会計装置５０とデータ通信を行う。ＣＰＵ４３は、メモリ４４に記憶されているプログラムに従って各種の処理を実行する。メモリ４４は、例えばＲＡＭやフラッシュメモリなどを備え、ＣＰＵ４３によって用いられるプログラムの他に、リーダライタ装置４０が設けられたテーブル２を識別するテーブル番号を記憶している。ここでは、「１０番」というテーブル番号がメモリ４４に記憶されているものとする。また、このメモリ４４には、管理装置１０から提供されるメニュー情報Ｄが記憶される。
【００２１】
アンテナ部４５は、導線が巻き回されてなる複数のループアンテナ４５ａがマトリックス状に配置されたものである。各ループアンテナ４５ａは、磁界を発生させて、電磁誘導により電力供給を行うとともに、無線信号を用いて無線通信を行う通信手段である。また、これらのループアンテナ４５ａには、アンテナ部４５の配置面において仮想的に設定された２次元座標の座標値が割り当てられており、各ループアンテナ４５ａの識別子とともにメモリ４４に記憶されている。この座標値は、各ループアンテナ４５ａの位置情報として用いられる。
【００２２】
（会計装置の構成）
図６は、図１に示した会計装置５０の構成を示す図である。この会計装置５０は、例えば飲食店の出入り口付近など、会計が行われる場所に配置されている。図に示すように、会計装置５０は、ＣＰＵ５１と、メモリ５２と、通信部５３と、操作キー５４と、表示部５５と、印字部５６と、リーダライタ部５７とを備えている。ＣＰＵ５１は、メモリ５２に記憶されているプログラムに従って各種の処理を実行する。メモリ５２は、ＲＯＭやＲＡＭなどを備え、ＣＰＵ５１によって用いられるプログラム等を記憶している。通信部５３は、ネットワークＮを介して管理装置１０やリーダライタ装置４０とデータ通信を行う。
【００２３】
操作キー５４は、会計金額を入力する操作を受け付けて、その操作に応じた信号をＣＰＵ５１に供給する。飲食店の従業員は、操作キー５４を操作して、利用客によって支払われた会計金額を入力する。表示部５５は、コレステリック液晶や電気泳動などを利用した記憶性表示パネルなどを備え、これらの表示素子がＣＰＵ５１によって供給されるデータに応じて駆動されることで画像を表示する。この記憶性表示パネルは、表示の記憶性を有している。印字部５６は、サーマルプリンタなどを備え、ＣＰＵ５１によって供給されたデータをレシート紙などに印字する。リーダライタ部５７は、リーダライタ部５７の各部を制御する制御部と、データを記憶するメモリと、上述したリーダライタ装置４０のループアンテナ４５ａと同様のアンテナ部とを備えている。
【００２４】
（料理番号記憶用ＩＣタグの構成）
図１に示したテーブル２には、利用客によって注文された料理の入った食器が運ばれてくる。このとき、各々の料理は、料理毎に決められた食器に入れられて運ばれるようになっている。各食器の底部には、その食器に入れられた料理の識別番号である料理番号を記憶した料理番号記憶用ＩＣタグが取り付けられている。この料理番号は、商品である各料理を識別する商品識別情報として利用される。すなわち、料理番号記憶用ＩＣタグは、商品に取り付けられ、その商品を識別する商品識別情報を記憶する商品識別情報記憶装置である。
【００２５】
図７は、食器の一例である皿３の底部に設けられた料理番号記憶用ＩＣタグ７０を示す図である。この料理番号記憶用ＩＣタグ７０は、上述した電子メニュー表示装置２０のメニュー情報用ＩＣタグ２６と同様に、制御部、メモリ及びアンテナ部を備えており、メモリには、皿３に盛られる料理を識別する料理番号が記憶されている。例えば、皿３がステーキ用の皿である場合には、料理番号記憶用ＩＣタグ７０のメモリにはステーキの料理番号である「０２０」が記憶されているといった具合である。
【００２６】
［動作］
次に、注文システム１の動作を説明する。
（メニュー情報の表示）
まず、図８に示すシーケンス図を参照して、メニュー情報を表示するときの動作について説明する。飲食店の従業員は、電子メニュー表示装置２０と選択ペン３０とを図１に示すようにテーブル２の上に置いた後、管理装置１０の操作部１５を操作して、メニュー情報選択画面の表示を指示する。管理装置１０のＣＰＵ１１は、この操作に応じて、メニュー情報選択画面を表示部１６に表示させる（ステップＳＡ１０）。
図９は、このときに表示部１６に表示されるメニュー情報選択画面Ｓを示す図である。図に示すように、このメニュー情報選択画面Ｓには、記憶部１３に記憶されている各メニュー情報Ｄを選択するための選択ボタンｂ１〜ｂ６が配置されている。
【００２７】
メニュー情報選択画面Ｓが表示されると、従業員は、操作部１５を操作して、所望のメニュー情報Ｄを選択する。例えば、ディナー料理のメニューを表すメニュー情報Ｄを選択したい場合、従業員は、操作部１５を操作して「ディナーメニュー」という選択ボタンｂ２を選択する。選択ボタンｂ２が選択されると、管理装置１０のＣＰＵ１１は、ディナーの料理のメニューを表すメニュー情報Ｄを記憶部１３から読み出し、このメニュー情報Ｄを通信部１４からリーダライタ装置４０に送信する（ステップＳＡ２０）。
【００２８】
図１０は、通信部１４から送信されるメニュー情報Ｄのデータ構造Ｆを示す図である。ＣＰＵ１１は、記憶部１３から読み出したメニュー情報Ｄに基づいて、図に示すような各ページ単位の構造のデータを生成し、これを１ページ分ずつ通信部１４からリーダライタ装置４０に送信していく。図の例では、データの先頭に「ファイル名」が配置され、続いて「各ページのデータ」が配置され、最後にファイルの終端を表す「ＥＯＦ」という情報が配置される。ファイル名には、そのデータが何ページ目のデータであるかを表すページ数が含まれている。例えば、メニュー情報Ｄの１ページ目のデータには、そのページ数である「１」を含む「Ｌ１」というファイル名が付けられるといった具合である。同様にして、メニュー情報の２ページ目のデータには「２」を含む「Ｌ２」というファイル名が付けられ、３ページ目のデータには「３」を含む「Ｌ３」というファイル名が、４ページ目のデータには「４」を含む「Ｌ４」というファイル名が付けられる。この場合、通信部１４からは、まず「Ｌ１」、メニュー情報Ｄの「１ページ目のデータ」、「ＥＯＦ」というデータ列が送信され、続いて、「Ｌ２」、メニュー情報Ｄの「２ページ目のデータ」、「ＥＯＦ」というデータ列、「Ｌ３」、メニュー情報Ｄの「３ページ目のデータ」、「ＥＯＦ」というデータ列、そして「Ｌ４」、メニュー情報Ｄの「４ページ目のデータ」、「ＥＯＦ」というデータ列が送信される。
【００２９】
管理装置１０の通信部１４からメニュー情報Ｄが送信されてくると、リーダライタ装置４０のＣＰＵ４３は、このメニュー情報Ｄを通信部４２によって受信する（ステップＳＡ３０）。続いて、ＣＰＵ４３は、受信したメニュー情報Ｄをメモリ４４に記憶させてから、そのメニュー情報Ｄをアンテナ部４５に供給する。すなわち、メモリ４４は、複数のページ単位に区分されたデータであるメニュー情報Ｄを記憶するデータ記憶手段である。続いて、ＣＰＵ４３は、アンテナ部４５を用いて、そのメニュー情報Ｄを表す無線信号を発信させる（ステップＳＡ４０）。すなわち、ＣＰＵ４３は、メモリ４４に記憶されているメニュー情報Ｄを電子メニュー表示装置２０のすくなくとも１つの表示体２１ａに供給するデータ供給手段として機能する。このメニュー情報Ｄには、上述したように、各料理の料理識別情報である料理名及び料理番号と、その料理の対価情報である値段情報とが対応付けられて含まれている。
【００３０】
上述したように、電子メニュー表示装置２０は、リーダライタ装置４０を内蔵したテーブル２の上に置かれている。このとき、表示体２１ａのメニュー情報用ＩＣタグ２６のアンテナ部６３は、リーダライタ装置４０のアンテナ部４５から発生される磁界内に入っているため、電磁誘導作用によりアンテナ部６３に電力が発生する。この電力は、メニュー情報用ＩＣタグ２６の各部と電源回路２８とに供給される。メニュー情報用ＩＣタグ２６の制御部６１は、アンテナ部６３から供給される電力を用いて、リーダライタ装置４０のアンテナ部４５から発信された無線信号をアンテナ部６３によって受信する（ステップＳＡ５０）。続いて、制御部６１は、この無線信号によって表わされるメニュー情報Ｄをメモリ６２に記憶させる。このようにして、表示体２１ａの制御部６１は、リーダライタ装置４０から供給される１ページ目から４ページ目までのメニュー情報Ｄを取得する。すなわち、表示体２１ａの制御部６１は、各々の表示体２１に対応するページ単位に区分されたデータを、アンテナ部６３を用いてリーダライタ装置４０から取得するデータ取得手段として機能する。そして、取得されたメニュー情報Ｄは全て、表示体２１ａのメモリ６２にいったん記憶されることになる。
【００３１】
アンテナ部６３から電力が供給されると、電源回路２８は、その電力の電圧を各々に適した電圧に変圧して、制御回路２７ａ及び記憶性表示パネル２２ａに供給する。表示体２１ａの制御回路２７ａは、電源回路２８から供給された電力を用いて、メモリ６２からメニュー情報Ｄを読み出し、読み出したメニュー情報Ｄのうち、メモリ７１ａに記憶されている「１」というページ数を含むファイル名「Ｌ１」のデータ、すなわち１ページ目のデータを取得する。そして、制御回路２７ａは、１ページ目のデータを除いたメニュー情報Ｄと、電源回路２８から供給された電力とを、基板間接続部２５を介して表示体２１ｂの制御回路２７ｂに供給する。制御回路２７ｂは、上述した制御回路２７ａと同様にして、メモリ７１ｂに記憶されているページ数「２」を含むファイル名「Ｌ２」のデータを取得し、取得したデータを除いたメニュー情報Ｄと電力とを次の表示体２１ｃの制御回路２７ｃに供給する。制御回路２７ｃも、同様に、メモリ７１ｂに記憶されているページ数「３」を含むファイル名「Ｌ３」のデータを取得し、取得したデータを除いたメニュー情報Ｄと電力とを次の表示体２１ｄの制御回路２７ｄに供給する。制御回路２７ｄについても同様である。ただし、制御回路２７ｄは、最後のページである４ページ目のデータしか供給されないため、メニュー情報Ｄを次の制御回路２７に供給する処理を行う必要はない。
【００３２】
このようにして、各表示体２１の制御回路２７は、自表示体に対応するページのデータを取得する（ステップＳＡ６０）。上述したように、各々の表示体２１の制御回路２７は、アンテナ部６３に供給される電力を用いて動作している。したがって、各表示体２１の制御回路２７は、アンテナ部６３に供給された電力を用いて、上述したステップＳＡ５０において取得されたデータのうち、自表示体に対応するページのデータを取得するページ取得手段として機能する。そして、各制御回路２７は、取得したデータ以外のデータと電源回路２８から供給された電力とを、可撓部材である基板間接続部２５を介して、自表示体の隣にある表示体に供給する。
【００３３】
続いて、制御回路２７ａ〜２７ｄはそれぞれ、供給された電力を用いて自回路と接続された記憶性表示パネル２２の表示素子を駆動し、取得したメニュー情報Ｄに応じた画像をその記憶性表示パネル２２に表示させる（ステップＳＡ７０）。これにより、表示体２１ａの記憶性表示パネル２２ａにはメニュー情報Ｄの１ページ目が表示される。同様に、表示体２１ｂの記憶性表示パネル２２ｂには２ページ目が、表示体２１ｃの記憶性表示パネル２２ｃには３ページ目が、表示体２１ｄの記憶性表示パネル２２ｄには４ページ目がそれぞれ表示される。
【００３４】
図１１は、記憶性表示パネル２２ａ〜２２ｄにメニュー情報Ｄが表示されている様子を示す図である。図に示すように、このメニュー情報Ｄにおいては、１〜３ページ目までが料理のメニューを表すメニューページになっており、４ページ目が注文を確認するための注文確認ページになっている。また、メニューページには、「前菜」、「魚料理」、「肉料理」、「デザート」、「ワイン」といった項目毎に、各料理の料理番号、料理名及び値段情報が対応付けられて配置されている。例えば、「前菜」の項目には、「鮮魚テリーヌ」という料理名と、その料理番号である「００１」と、その料理の値段情報である「８００円」とが対応付けられて配置されている。
【００３５】
飲食店の利用客は、着席すると、テーブル２の上に置かれた電子メニュー表示装置２０に表示されているメニュー情報Ｄを見ながら注文する料理を選択する。このとき、例えば利用客が電子メニュー表示装置２０をテーブル２から持ち上げると、電子メニュー表示装置２０のメニュー情報用ＩＣタグ２６のアンテナ部６３は、リーダライタ装置４０のアンテナ部４５から発生された磁界の外に移動させられてしまうので、リーダライタ装置４０から電子メニュー表示装置２０に対して電力が供給されなくなってしまう。この場合であっても、上述したように記憶性表示パネル２２は記憶性を有しているため、記憶性表示パネル２２に表示されたメニュー情報Ｄは消えることなく、表示され続ける。
【００３６】
また、電子メニュー表示装置２０には、バッテリーや電池などの電源が搭載されていないため、その分だけ軽量に構成されている。したがって、利用客は、電子メニュー表示装置２０を持って料理を選択する場合にも、疲労感を感じることがない。また、電子メニュー表示装置２０は軽量であるため、たとえ利用客が電子メニュー表示装置２０をテーブル２から落下させてしまったとしても、その自重で電子メニュー表示装置２０が破損するといったことも少なくなる。
【００３７】
（料理の注文）
次に、図１２に示すシーケンス図を参照して、料理の注文を受けるときの動作について説明する。
利用客は、電子メニュー表示装置２０に表示されているメニュー情報Ｄを見ながら注文する料理を検討する。注文する料理が決まると、利用客は、まず電子メニュー表示装置２０をテーブル２の上に置く。続いて、利用客は、選択ペン３０を持ち、注文する料理の料理名が表示されている電子メニュー表示装置２０上の位置に選択ペン３０の先端を接触させることで、注文する料理を指定する。なお、ここでいう料理名が表示されている位置とは、料理名を表す画像が表示されている位置だけでなく、それを含む所定の領域内の位置をも含むものである。
【００３８】
選択ペン３０の先端が電子メニュー表示装置２０上に接触させられると、電子メニュー表示装置２０がリーダライタ装置４０上に置かれているため、選択ペン３０のペン用ＩＣタグ３１のアンテナ部は、リーダライタ装置４０のアンテナ部４５から発生された磁界内に入る。これにより、選択ペン３０のペン用ＩＣタグ３１のアンテナ部には電磁誘導作用によって電力が発生し、ペン用ＩＣタグ６１の各部に電力が供給される。また、電子メニュー表示装置２０の位置検出用ＩＣタグ２９ａ〜２９ｈの各アンテナ部も、上述したように利用客によってテーブル２の上に置かれることにより、リーダライタ装置４０のアンテナ部４５から発生された磁界内に入る。これにより、位置検出用ＩＣタグ２９ａ〜２９ｈの各アンテナ部にも電磁誘導作用による電力が発生し、位置検出用ＩＣタグ２９の各部に電力が供給される。
【００３９】
選択ペン３０のペン用ＩＣタグ３１に電力が供給されると、ペン用ＩＣタグ３１の制御部は、その電力を用いて、メモリから「ｐｅｎ」というペン特定情報を読み出し、このペン特定情報を表す無線信号をアンテナ部から発信させる。ペン用ＩＣタグ３１のアンテナ部から発信された無線信号は、選択ペン３０の下方に配置されている、リーダライタ装置４０のアンテナ部４５を構成するループアンテナ４５ａのいずれかによって受信される。このようにして、リーダライタ装置４０のＣＰＵ４３は、アンテナ部４５を構成する複数のループアンテナ４５ａのいずれかを用いて、ペン用ＩＣタグ３１に記憶されているペン特定情報を読み取ることができる（ステップＳＢ１０）。そして、ＣＰＵ４３は、この無線信号を受信したループアンテナ４５ａの位置情報をメモリ４４に記憶させる。すなわち、ＣＰＵ４３は、複数のループアンテナ４５ａのうちのいずれかを用いて、ペン用ＩＣタグ３１に記憶されているペン特定情報を読み取る特定情報読取手段として機能する。
【００４０】
一方、電子メニュー表示装置２０の位置検出用ＩＣタグ２９ａ〜２９ｈに電力が供給されると、位置検出用ＩＣタグ２９ａ〜２９ｈの各制御部は、供給された電力を用いて、メモリから位置情報を読み出し、読み出した位置情報を表す無線信号をアンテナ部から発信させる。位置検出用ＩＣタグ２９ａ〜２９ｈの各アンテナ部から発信された無線信号は、各位置検出用ＩＣタグ２９の下方に配置されている、リーダライタ装置４０のアンテナ部４５を構成するループアンテナ４５ａのいずれかによって受信される。リーダライタ装置４０のＣＰＵ４３は、アンテナ部４５によって受信された無線信号が表す位置情報と、これらの各位置情報を表す無線信号を受信したアンテナ部４５の位置とをメモリ４４に記憶させる。このようにして、リーダライタ装置４０のＣＰＵ４３は、アンテナ部４５を構成する複数のループアンテナ４５ａのいずれかを用いて、位置検出用ＩＣタグ２９ａ〜２９ｈに記憶されている位置情報を読み取ることができる（ステップＳＢ２０）。すなわち、ＣＰＵ４３は、複数のループアンテナ４５ａのうちのいずれかを用いて、位置検出用ＩＣタグ２９に記憶されている位置情報を読み取る位置情報読取手段として機能する。
【００４１】
続いて、リーダライタ装置４０のＣＰＵ４３は、メモリ４４に記憶されている各情報に基づいて、選択ペン３０を用いて指定された料理名を特定する（ステップＳＢ３０）。
図１３は、選択ペン３０を用いて指定された料理名を特定する方法を説明する図である。ここでは、利用客によって選択ペン３０の先端が電子メニュー表示装置２０上の位置Ｐ１に接触させられた場合を想定する。この場合、上述したステップＳＢ１０では、位置Ｐ１に配置されているループアンテナ４５ａによって、「ｐｅｎ」というペン特定情報を表す無線信号が受信される。従って、リーダライタ装置４０のＣＰＵ４３は、選択ペン３０の先端が接触した位置Ｐ１を、ループアンテナ４５ａの位置として特定することができる。また、上述したステップＳＢ２０では、位置検出用ＩＣタグ２９ａ〜２９ｈの位置Ｐａ〜Ｐｈに配置されているループアンテナ４５ａによって、各々の位置情報を表す無線信号が受信される。例えば、位置検出用ＩＣタグ２９ａの位置Ｐａに配置されているループアンテナ４５ａによって、「左上」という位置情報を表す無線信号が受信され、位置検出ＩＣタグ２９ｂの位置Ｐｂに配置されているループアンテナ４５ａによって、「左下」という位置情報を表す無線信号が受信される。リーダライタ装置４０のＣＰＵ４３は、これらのループアンテナ４５ａによって受信された無線信号が表す位置情報に基づいて、電子メニュー表示装置２０が配置されている位置や向きなどを特定することができる。そして、ＣＰＵ４３は、特定した電子メニュー表示装置２０の配置に基づいて、アンテナ部４５の配置面に仮想的に割り当てられた座標系を、電子メニュー表示装置２０における座標系に変換し、電子メニュー表示装置２０において位置Ｐ１に表示されている料理名を特定する。
【００４２】
つまり、ＣＰＵ４３は、上述したステップＳＢ１０においてペン特定情報の読み取りに用いられたループアンテナ４５ａの位置と、上述したステップＳＢ２０において読み取られた位置情報と、その位置情報の読み取りに用いられたループアンテナ４５ａの位置と、メニュー情報Ｄが表す画像における各々の料理名の画像の位置とに基づいて、各表示体２１に表示されている料理名のうち、利用客により把持された選択ペン３０によって指定された料理名を特定する商品識別情報特定手段として機能する。
【００４３】
例えば、利用客が、電子メニュー表示装置２０上の「ステーキ」という料理名が表示されている位置に選択ペン３０の先端を接触させ、さらに、「赤ワイン」という料理名が表示されている位置に選択ペン３０の先端を接触させた場合を想定する。この場合、上述したステップＳＢ３０では、「ステーキ」という料理名と「赤ワイン」という料理名とが特定される。このようにして、選択ペン３０を用いて指定された料理名を特定すると、ＣＰＵ４３は、特定した料理名をメモリ４４に記憶させる。これにより、メモリ４４には、ステップＳＢ３０において特定された料理名である「ステーキ」と「ワイン」とが記憶される。すなわち、メモリ４４は、ステップＳＢ３０において特定された料理名を記憶する商品識別情報記憶手段として機能する。
【００４４】
続いて、リーダライタ装置４０のＣＰＵ４３は、ステップＳＢ３０において特定した料理名及びそれに対応する料理番号と、テーブル番号とをメモリ４４から読み出し、通信部４２から管理装置１０に送信する（ステップＳＢ４０）。この例では、「０２０  ステーキ」及び「０４０  赤ワイン」と、「１０番」というテーブル番号とが管理装置１０に送信される。管理装置１０のＣＰＵ１１は、これらの情報を通信部１４によって受信する（ステップＳＢ５０）。そして、ＣＰＵ１１は、受信した料理名及び料理番号とテーブル番号とに基づいて注文リストを作成し、作成した注文リストを表示部１６に表示させる（ステップＳＢ６０）。
【００４５】
図１４は、作成された注文リストＬが表示部１６に表示されている様子を示す図である。注文リストＬには、テーブル番号である「１０番」と、利用客によって注文された料理を表す「０２０  ステーキ」及び「０４０  赤ワイン」と、チェックボックスｃ１、ｃ２とが対応付けて配置されている。上述したように、管理装置１は厨房に配置されており、厨房で調理を担当している従業員は、管理装置１の表示部１６に表示されたこの注文リストＬを見ながら、利用客によって注文された料理を調理する。この例では、ステーキが調理されるとともに、赤ワインが準備される。
【００４６】
また、リーダライタ装置４０のＣＰＵ４３は、アンテナ部４５を用いて、メモリ４４に記憶されている料理名、それに対応する料理番号及び値段情報を表す無線信号を発信させる（ステップＳＢ７０）。この例では、「０２０  ステーキ  ２，５００円」と、「０４０  赤ワイン  ９００円」とを表す無線信号が発信される。すなわち、ＣＰＵ４３は、ステップＳＢ３０において特定され、メモリ４４に記憶されている料理名と料理番号とを電子メニュー表示装置２０に供給する商品識別情報供給手段として機能するとともに、その料理名に対応付けられた値段情報を電子メニュー表示装置２０に供給する対価情報供給手段として機能する。
【００４７】
電子メニュー表示装置２０のメニュー情報用ＩＣタグ２６の制御部６１は、アンテナ部６３に供給された電力を用いて、リーダライタ装置４０のアンテナ部４５から発信された無線信号をアンテナ部６３によって受信する（ステップＳＢ８０）。そして、制御部６１は、受信した無線信号が表す料理名、料理番号及び値段情報を注文確認情報としてメモリ６２に記憶させる。すなわち、メニュー情報用ＩＣタグ２６の制御部６１は、ステップＳＢ７０においてリーダライタ装置４０によって供給される料理名、料理番号および値段情報を、アンテナ部６３を用いて取得する対価情報取得手段として機能する。これにより、メモリ６２には、ステップＳＢ３０において特定された料理名、料理番号及び値段情報が記憶される。注文確認情報がメモリ６２に記憶されると、各制御回路２７は、上述と同様にして、基板間接続部２５を介して隣の表示体２１の制御回路２７にこの注文確認情報を供給していく。この注文確認情報は、４ページ目のデータであるので、制御回路２７ｄによって取得される。制御回路２７ｄは、注文確認情報を取得すると、アンテナ部６３に供給された電力を用いて、この注文確認情報を記憶性表示パネル２２ｄに表示させる（ステップＳＢ９０）。
【００４８】
図１５は、表示体２１ｄの記憶性表示パネル２２ｄに注文確認情報が表示されている様子を示す図である。図に示すように、この注文確認情報には、利用客によって注文された料理を表す「０２０  ステーキ  ２，５００円」及び「０４０  赤ワイン  ９００円」と、チェックボックスｄ１、ｄ２とがそれぞれ対応付けては配置されている。利用客は、この注文確認情報を見ることにより、自分が注文した料理を確認することができる。
【００４９】
（料理の配膳）
次に、図１６に示すシーケンス図を参照して、料理が配膳されたときの動作について説明する。厨房で調理を担当する従業員によって注文された料理が調理されると、配膳を担当する従業員は、調理された料理を食器に入れてテーブル２へと運ぶ。この例では、調理されたステーキがステーキ用の皿に盛られるとともに、赤ワインが赤ワイン用のグラスに注がれてテーブル２に運ばれる。
【００５０】
図１７は、ステーキが盛られた皿３と、赤ワインが注がれたグラス４とがテーブル２の上に置かれた様子を示す図である。この皿３の底面には、ステーキの料理番号である「０２０」を記憶する料理番号記憶用ＩＣタグ７０ａが設けられており、グラス４の底面には、赤ワインの料理番号である「０４０」を記憶する料理番号記憶用ＩＣタグ７０ｂが設けられている。このとき、料理番号記憶用ＩＣタグ７０ａ、７０ｂの各アンテナ部は、リーダライタ装置４０のアンテナ部４５から発生された磁界内に入る。これにより、料理番号記憶用ＩＣタグ７０ａ、７０ｂの各アンテナ部には電磁誘導作用による電力が発生し、料理番号記憶用ＩＣタグ７０ａ、７０ｂの各部に電力が供給される。また、このとき、電子メニュー表示装置２０のメニュー情報用ＩＣタグ２６のアンテナ部６３も、リーダライタ装置４０のアンテナ部４５から発生された磁界内に入っているため、上述と同様に、メニュー情報用ＩＣタグ２６の各部と電源回路２８に電力が供給される。
【００５１】
リーダライタ装置４０のＣＰＵ４３は、料理番号記憶用ＩＣタグ７０ａ、７０ｂに電力が供給されると、アンテナ部４５を構成する複数のループアンテナ４５ａのいずれかを用いて、料理番号記憶用ＩＣタグ７０ａ、７０ｂの各メモリに記憶されている料理番号を読み取る（ステップＳＣ１０）。すなわち、ＣＰＵ４３は、複数のループアンテナ４５ａのいずれかを用いて、料理番号記憶用ＩＣタグ７０ａ、７０ｂに記憶されている料理番号を読み取る商品識別情報読取手段として機能する。具体的には、料理番号記憶用ＩＣタグ７０ａ、７０ｂの各制御部は、アンテナ部に供給された電力を用いて、メモリに記憶されている料理番号を表す無線信号をアンテナ部から発信させる。料理番号記憶用ＩＣタグ７０ａ、７０ｂの各アンテナ部から発信された無線信号は、皿３とグラス４が置かれた位置の下方に配置されているリーダライタ装置４０のループアンテナ４５ａによって受信される。リーダライタ装置４０のＣＰＵ４３は、ループアンテナ４５ａによって受信された無線信号が表す料理番号をメモリ４４に記憶させる。この例では、番号記憶用ＩＣタグ７０ａ、７０ｂの各メモリから「０２０」、「０４０」という料理番号がそれぞれ読み取られ、メモリ４４に記憶される。
【００５２】
続いて、リーダライタ装置４０のＣＰＵ４３は、メモリ４４に記憶されている料理番号を通信部４２から管理装置１０に送信する（ステップＳＣ２０）。この例では、「０２０」及び「０４０」という料理番号が管理装置１０に送信される。管理装置１０のＣＰＵ１１は、送信されてきた料理番号を通信部１４によって受信する（ステップＳＣ３０）。続いて、ＣＰＵ１１は、上述したステップＳＢ６０において作成した注文リストに含まれる料理番号と、受信した料理番号のうち互いに一致するものを判別し、一致すると判別された料理番号については、その料理番号に対応付けられたチェックボックスにチェック記号を入力する（ステップＳＣ４０）。このチェック記号とは、対応する料理名の料理が提供されたことを表す画像である。
【００５３】
この例では、図１４に示した注文リストＬに含まれる料理番号である「０２０」及び「０４０」と、受信した料理番号とがいずれも一致するため、チェックボックスｃ１、ｃ２にそれぞれチェック記号が入力された状態で表示部１６に表示される。これにより、従業員は、テーブル番号が「１０番」のテーブル２の利用客によって注文された料理が配膳済みであることを確認することができる。なお、仮にステップＳＣ３０において注文リストＬに含まれるいずれかの料理Ｎｏしか受信されなかった場合には、その料理Ｎｏ以外の料理Ｎｏに対応するチェックボックスにはチェック記号が入力されないことになる。この場合、従業員は、チェック記号が入力されていない料理名の料理については、配膳されていないことを把握することができる。
【００５４】
また、リーダライタ装置４０のＣＰＵ４３は、アンテナ部４５を用いて、上述したステップＳＣ１０において読み取った料理番号を表す無線信号をアンテナ部４５から発信させる（ステップＳＣ５０）。この例では、「０２０」及び「０４０」という料理番号を表す無線信号がアンテナ部４５から発信される。これにより、ステップＳＣ１０において読み取られた料理番号が電子メニュー表示装置２０に供給される。電子メニュー表示装置２０のメニュー情報用ＩＣタグ２６の制御部６１は、アンテナ部６３に供給された電力を用いて、リーダライタ装置４０のアンテナ部４５から発信された無線信号をアンテナ部６３によって受信する（ステップＳＣ６０）。そして、制御部６１は、アンテナ部６３に供給された電力を用いて、受信した無線信号が表す料理番号をメモリ６２に記憶させる。上述したように、メニュー情報用ＩＣタグ２６の制御部６１は、ステップＳＢ７０においてリーダライタ装置４０から供給される料理番号を取得している。したがって、メニュー情報用ＩＣタグ２６の制御部６１は、ステップＳＢ７０においてリーダライタ装置４０から供給される料理番号と、ステップＳＣ５０においてリーダライタ装置４０から供給される料理番号とを取得する商品識別情報取得手段として機能することになる。
【００５５】
続いて、制御回路２７ａは、アンテナ部６３に供給された電力を用いて、この料理番号とメモリ６２に記憶されている注文確認情報に含まれる料理番号のうち互いに一致するものを判別し、一致すると判別された料理番号については、その料理番号に対応付けられたチェックボックスにチェック記号を入力する（ステップＳＣ７０）。すなわち、制御回路２７ａは、アンテナ部６３に供給された電力を用いて、ステップＳＢ８０において取得した料理番号とステップＳＣ６０において取得した料理番号のうち互いに一致するものを判別する判別手段として機能する。
【００５６】
この例では、図１５に示した注文確認情報に含まれる料理番号である「０２０」及び「０４０」と、受信した料理番号とがいずれも一致するため、チェックボックスｄ１、ｄ２にそれぞれチェック記号が入力された状態で表示体２１ｄに表示される。これにより、利用客は、注文した料理が配膳されたことを確認することができる。なお、仮にステップＳＣ６０において注文確認情報に含まれるいずれかの料理Ｎｏしか受信されなかった場合には、その料理Ｎｏ以外の料理Ｎｏに対応するチェックボックスにはチェック記号が入力されないことになる。この場合、利用客は、チェック記号が入力されていない料理名の料理については、配膳されていないことを確認することができる。
【００５７】
続いて、制御回路２７ａは、アンテナ部６３に供給された電力を用いて、メモリ６２に記憶されている注文確認情報に含まれる各々の値段情報に基づいて、各値段情報が表す値段の合計を算出し、算出した値段の合計を表す会計情報をメニュー情報用ＩＣタグ２６のメモリ６２に記憶させる（ステップＳＣ８０）。すなわち、制御回路２７ａは、アンテナ部６３に供給された電力を用いて、上述したステップＳＢ８０において取得された各々の値段情報に基づいて、各値段情報が表す値段の合計を算出する算出手段として機能する。また、メモリ６２は、アンテナ部６３に供給された電力を用いて、算出された値段の合計を表す会計情報を記憶する会計情報記憶手段である。
【００５８】
この例では、ステーキの値段情報である「２，５００円」と赤ワインの値段情報である「９００円」とに基づいて、２，５００円＋９００円＝「３，４００円」が算出され、これが会計情報としてメモリ６２に記憶される。会計情報がメモリ６２に記憶されると、各制御回路２７は、上述と同様にして、基板間接続部２５を介して隣の表示体２１の制御回路２７にこの注文確認情報を供給していく。この会計情報は、４ページ目のデータであるため、上述と同様にして制御回路２７ｄによって取得される。制御回路２７ｄは、注文確認情報を取得すると、アンテナ部６３に供給された電力を用いて、この会計情報を記憶性表示パネル２２ｄに表示させる。これにより、図１５に示した注文確認情報には、この会計情報を表す「会計金額：３，４００円」が配置される。
【００５９】
（会計）
次に、図１８に示すシーケンス図を参照して、利用客によって会計が行われるときの動作について説明する。利用客は、注文した料理を食べ終えると、電子メニュー表示装置２０を持って、図１に示した会計装置５０の所へ移動する。そして、利用客は、その電子メニュー表示装置２０を会計装置５０のリーダライタ部５７の上に置く。このとき、電子メニュー表示装置２０のメニュー情報用ＩＣタグ２６のアンテナ部６３は、会計装置５０のリーダライタ部５７のアンテナ部から発生された磁界内に入る。これにより、メニュー情報用ＩＣタグ２６のアンテナ部６３には電磁誘導作用による電力が発生し、上述と同様にして、メニュー情報用ＩＣタグ２６の各部と電源回路２８に電力が供給される。
【００６０】
リーダライタ部５７の制御部は、電子メニュー表示装置２０のメニュー情報用ＩＣタグ２６に電力が供給されると、アンテナ部を用いて、このメニュー情報用ＩＣタグ２６のメモリ６２に記憶されている会計情報を読み取る（ステップＳＤ１０）。すなわち、リーダライタ部５７の制御部は、アンテナ部を用いて、このメニュー情報用ＩＣタグ２６のメモリ６２に記憶されている会計情報を読み取る読取手段として機能する。具体的には、リーダライタ部５７の制御部は、会計情報の送信を要求する会計情報要求をアンテナ部から発信する。メニュー情報用ＩＣタグ２６の制御部６１は、アンテナ部６３に供給された電力を用いてこの会計情報要求を受信し、この会計情報要求に応じて、メモリ６２に記憶されている会計情報である「３，４００円」を読み出す。そして、メニュー情報用ＩＣタグ２６の制御部６１は、アンテナ部６３に供給された電力を用いて、この会計情報を表す無線信号をアンテナ部６３から発信させる。メニュー情報用ＩＣタグ２６のアンテナ部６３から発信された無線信号は、リーダライタ部５７のアンテナ部によって受信される。リーダライタ部５７の制御部は、アンテナ部によって受信された無線信号から「３，４００円」という会計情報を取り出す。
【００６１】
続いて、会計装置５０のＣＰＵ５１は、この会計情報を表示部５５に表示させる（ステップＳＤ２０）。これにより、表示部５５には、ステップＳＤ１０において読み取られた「３，４００円」という会計情報が会計金額として表示される。すなわち、表示部５５は、ステップＳＤ１０において読み取られた会計情報を表示する会計表示手段である。利用客は、会計装置５０の表示部５５に表示された会計金額を支払う。従業員は、会計装置５０の操作キー５４を操作して、利用客によって支払われた会計情報を入力するとともに、テーブル番号が「１０番」の利用客について清算が完了したことを表す清算完了情報の送信を指示する。
【００６２】
会計装置５０のＣＰＵ５１は、この操作に応じて、この清算完了情報を通信部５３から管理装置１０に送信する（ステップＳＤ３０）。会計装置５０の通信部５３から清算完了情報が送信されてくると、管理装置１０のＣＰＵ１１は、この清算完了情報を通信部１４によって受信する（ステップＳＤ４０）。清算完了情報を受信すると、ＣＰＵ１１は、この清算完了情報に含まれる「１０番」というテーブル番号を含む注文リストの表示を終了させる（ステップＳＤ５０）。この例では、図１４に示した注文リストＬが削除される。
【００６３】
このようにして、利用客の清算が完了すると、従業員は、利用客によって会計装置５０に移動された電子メニュー表示装置２０を回収し、そのメニュー情報用ＩＣタグ２６に記憶されているメニュー情報Ｄを削除した後、再びテーブル２の上に置く。そして、従業員は、上述と同様にして、管理装置１０の操作部１５を操作して、メニュー情報選択画面の表示を指示する。これにより、電子メニュー表示装置２０には図１１に示したようなメニュー情報が再び表示される。
【００６４】
以上説明した実施形態によれば、メニュー情報を表示する電子メニュー表示装置２０にはバッテリーや電池などの電源が搭載されていないため、その分電子メニュー表示装置２０が薄くなり、軽量になる。このように電子メニュー表示装置２０が軽量化されるため、利用客は、紙媒体に印刷されたメニューの代替として、電子メニュー表示装置２０を違和感なく使用することができる。一方、飲食店の従業員も、これらの電子メニュー表示装置２０を重ねた状態で保管したり、持ち運んだりすることが容易であるため、便利である。さらに、上述した電子メニュー表示装置２０には、電源や高性能のＣＰＵを設ける必要がないため、製造コストも低減することができる。
【００６５】
［変形例］
以上が実施形態の説明であるが、この実施形態の内容は以下のように変形し得る。また、以下の変形例を適宜組み合わせてもよい。
（変形例１）
上述した実施形態において、リーダライタ装置４０のＣＰＵ４３は、ペン特定情報を表す無線信号を受信したループアンテナ４５ａの位置と、位置検出用ＩＤタグから各位置情報を表す無線信号を受信したループアンテナ４５ａの位置と、メモリ４４に記憶されているメニュー情報Ｄとに基づいて、利用客によって指定された料理名を特定していたが、利用客によって指定された料理名を特定する方法はこれに限らない。
【００６６】
例えば、電子メニュー表示装置２０の各記憶性表示パネル２２上にタッチパネルを設け、このタッチパネルを用いて選択ペン３０によって接触された電子メニュー表示装置２０上の位置を検出してもよい。この場合、電子メニュー表示装置２０のメニュー情報用ＩＣタグ２６の制御部６１は、検出された位置を表す位置情報を表す無線信号をアンテナ部６３から発信させる。このように、タッチパネルを用いて選択ペン３０の接触位置を検出する場合には、位置検出用ＩＣタグ２９及びペン用ＩＣタグ３１を設ける必要がない。ただし、この場合には、タッチパネルを駆動させるために、電子メニュー表示装置２０に対してより多くの電力を供給する必要がある。
【００６７】
また、上記変形例では、リーダライタ装置４０のＣＰＵ４３が選択ペン３０のペン用ＩＣタグ３１からペン特定情報を読み取る必要がないため、電子メニュー表示装置２０とリーダライタ装置４０とが有線で情報をやりとりしてもよい。この場合、電子メニュー表示装置２０とリーダライタ装置４０には、それぞれ例えばＵＳＢ（Universal Serial Bus）規格に従って通信を行う通信部が設けられ、電子メニュー表示装置２０は、ＵＳＢバスパワーを利用してリーダライタ装置４０から電力の供給を受け、供給された電力を用いて上述した各種の処理を行う。
【００６８】
（変形例２）
上述した実施形態において、管理装置１０の記憶部１３に記憶されているメニュー情報Ｄは、従業員による操作部１５の操作に従って、変更されてもよい。また、表示部１６上にタッチパネルが設けられている場合には、従業員によるタッチパネルの操作に従って、メニュー情報Ｄが変更されてもよい。この場合、従業員は、スタイラスペンなどを用いてタッチパネル上に情報を書き込むことにより、手書きの情報を追加することもできる。これにより、料理のメニューが変更された場合にも、メニュー情報の変更を簡単に行うことができる。
【００６９】
（変形例３）
上述した実施形態では、管理装置１０の表示部１６および会計装置５０の表示部５５が記憶性表示パネルを備えている例を挙げて説明したが、これらの表示部１６、５５に常時電力を供給することができる場合には、表示部１６、５５が記憶性表示パネルに代えて液晶ディスプレイを備えていてもよい。
【００７０】
（変形例４）
上述した実施形態では、位置検出用ＩＣタグ２９、ペン用ＩＣタグ３１、料理番号記憶用ＩＣタグ７０が設けられている例を挙げて説明したが、これらのＩＣタグに代えて、バーコードや２次元コードなどが用いられてもよい。
【００７１】
（変形例５）
上述した実施形態では、表示体２１ａの回路基板２３ａのみに、メニュー情報用ＩＣタグ２６と電源回路２８とが設けられていたが、これに限らない。例えば、表示体２１ａと表示体２１ｄの各回路基板２３ａ、２３ｄにメニュー情報用ＩＣタグ２６と電源回路２８とが設けられていてもよいし、全ての表示体２１ａ〜２１ｄの回路基板２３にメニュー情報用ＩＣタグ２６と電源回路２８とが設けられていてもよい。
【００７２】
（変形例６）
上述した実施形態において、電子メニュー表示装置２０の制御部６１や制御回路２７ａ〜２７ｄによって行われる処理は、ＣＰＵがプログラムに従って実行してもよい。この場合、電子メニュー表示装置２０のＣＰＵ、管理装置１０のＣＰＵ１１、リーダライタ装置５のＣＰＵ４３、会計装置５０のＣＰＵ５１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００７３】
【図１】本実施形態に係る注文システムの構成を示す図である。
【図２】上記注文システムの管理装置の構成を示す図である
【図３】上記注文システムの電子メニュー表示装置の構成を示す平面図である。
【図４】上記注文システムの選択ペンの構成を示す図である。
【図５】上記注文システムのリーダライタ装置の構成を示す平面図である。
【図６】上記注文システムの会計装置の構成を示す図である。
【図７】上記注文システムの料理番号記憶用ＩＣタグを示す図である。
【図８】メニュー情報を表示する処理を示すシーケンス図である。
【図９】メニュー情報選択画面を示す図である。
【図１０】メニュー情報のデータ構造を示す図である。
【図１１】メニュー情報が表示されている様子を示す図である。
【図１２】料理の注文を受けるときの処理を示すシーケンス図である。
【図１３】注文された料理名を特定する方法を説明する図である。
【図１４】注文リストが表示されている様子を示す図である。
【図１５】注文確認情報が表示されている様子を示す図である。
【図１６】料理が配膳されたときの処理を示すシーケンス図である。
【図１７】皿とグラスとがテーブルの上に置かれた様子を示す図である。
【図１８】会計が行われるときの処理を示すシーケンス図である。
【符号の説明】
【００７４】
１…注文システム、１０…管理装置、１１…ＣＰＵ、１２…メモリ、１３…記憶部、１４…通信部、１５…操作部、１６…表示部、２０…電子メニュー表示装置、２１…表示体、２２…記憶性表示パネル、２３…回路基板、２４…パネル接続部、２５…基板間接続部、２６…メニュー情報用ＩＣタグ、６１…制御部、６２…メモリ、６３…アンテナ部、２７…制御回路、７１…メモリ、２８…電源回路、２９…位置検出用ＩＣタグ、３０…選択ペン、３１…ペン用ＩＣタグ、４０…リーダライタ装置、４１…電源部、４２…通信部、４３…ＣＰＵ、４４…メモリ、４５…アンテナ部、４５ａ…ループアンテナ、５０…会計装置、５１…ＣＰＵ、５２…メモリ、５３…通信部、５４…操作キー、５５…表示部、５６…印字部、５７…リーダライタ部、７０…料理番号記憶用ＩＣタグ。 
【図１】
2009192904.tif 000003
【図２】
2009192904.tif 000004
【図３】
2009192904.tif 000005
【図４】
2009192904.tif 000006
【図５】
2009192904.tif 000007
【図６】
2009192904.tif 000008
【図７】
2009192904.tif 000009
【図８】
2009192904.tif 000010
【図９】
2009192904.tif 000011
【図１０】
2009192904.tif 000012
【図１１】
2009192904.tif 000013
【図１２】
2009192904.tif 000014
【図１３】
2009192904.tif 000015
【図１４】
2009192904.tif 000016
【図１５】
2009192904.tif 000017
【図１６】
2009192904.tif 000018
【図１７】
2009192904.tif 000019
【図１８】
2009192904.tif 000020